(57)【要約】【課題】  コンピュータ上での会議の様子を低コスト、且つ容易に記録再生可能とする。【解決手段】  コンピュータを用いて会議を行う場合に、表示画面の変化状態を検出し、表示画面が変化したときの時間とそのときの表示データを表示履歴として記録する。再生時にはこの表示履歴に基づいて記録したデータを再生する。【選択図】  図１
2005141284.tif 000002
【特許請求の範囲】
【請求項１】
コンピュータの表示画面を記録し、再生を行う記録、再生方法において、
表示状態の記録を開始する第１ステップと、
上記第１ステップの実行時の表示状態を記憶する第２ステップと、
記録時間情報を生成する第３ステップと、
表示状態の変化を検出する第４ステップと、
上記第４ステップにおいて検出された表示状態の変化を上記記録時間情報に対応付けて記録を行う第５ステップと、
表示状態の再生を開始する第６ステップと、
上記第２ステップにおいて記憶された表示状態を再現する第７ステップと、
再生時間情報を生成する第８ステップと、
上記第８ステップが生成する再生時間情報と、上記第５ステップにより記録された記録時間情報が一致した時に、上記第５ステップにより記録された記録時間情報に対応する表示状態の変化の再現を行う第９ステップとを具備することを特徴とする記録、再生方法。
【請求項２】
上記第５ステップに記録された、表示状態の変化または記録時間情報が指定されたとき、上記第９ステップは上記指定された時点からの再現を行うことを特徴とする請求項１記載の記録、再生方法。
【請求項３】
上記第４ステップが検出する表示状態の変化は、ウィンドウの表示、ウィンドウの消去、ウィンドウ表示内容の変化、ウィンドウ位置の変更、ウィンドウサイズの変更を含むことを特徴とする請求項１または２記載の記録、再生方法。
【請求項４】
コンピュータの表示画面を記録し、再生を行う記録、再生装置において、
表示状態の記録を開始する記録開始手段と、
上記記録開始手段の実行時の表示状態を記憶する初期状態記録手段と、
記録時間情報を生成する第１の計時手段と、
表示状態の変化を検出する検出手段と、
上記検出手段において検出された表示状態の変化を、上記記録時間情報に対応付けて記録を行う記録手段と、
表示状態の再生を開始する再生開始手段と、
上記初期状態記録手段において記憶された表示状態を再現する初期状態再現手段と、
再生時間情報を生成する第２の計時手段と、
上記第２の計時手段が生成する再生時間情報と、上記記録手段により記録された記録時間情報が一致した時に、上記記録手段により記録された記録時間情報に対応する表示状態の変化の再現を行う再現手段とを具備することを特徴とする記録、再生装置。
【請求項５】
上記記録手段に記録された、表示状態の変化または記録時間情報が指定されたとき、上記再現手段は上記指定された時点からの再現を行うことを特徴とする請求項４記載の記録、再生装置。
【請求項６】
上記検出手段が検出する表示状態の変化は、ウィンドウの表示、ウィンドウの消去、ウィンドウ表示内容の変化、ウィンドウ位置の変更、ウィンドウサイズの変更を含むことを特徴とする請求項４または５記載の記録、再生装置。
【請求項７】
コンピュータを用いて会議を行うシステムにおいて用いられる方法であって、
前記コンピュータの表示画面の状態が変化したことを検出する表示状態検出ステップと、
前記表示状態検出ステップにより表示画面の変化を検出した時の時間情報と、表示されている情報データとを対応付けた履歴情報を生成する履歴情報生成ステップと、
前記履歴情報を記録する記録ステップとを有する記録方法。
【発明の詳細な説明】
【技術分野】
【０００１】
本発明は、会議などにおいて、コンピュータの表示画面を記録し、再生を行う記録、再生方法及び装置に関するものである。
【背景技術】
【０００２】
従来、会議や、プレゼンテーションなどを行う場合、後で、例えば議事録を作成するためなどにその内容を参照したいという要望がある。
【０００３】
その方法として、会議の記録を担当者の筆記により残すという方法がまず考えられるが、この方法は筆記者に負担が掛かり、筆記者は筆記作業のため会議に参加しづらくなってしまうなどの問題がある。また、記録もれや間違いなどが発生してしまう可能性もある。さらに、書き方によっては、後で参照するときに読みづらかったり、筆記者以外の人には内容がうまく読み取れないなどの問題が発生する可能性もある。
【０００４】
他の方法としては、会議の内容をビデオカメラなどを用いて会議の映像や音声を記録するという方法がある。しかしこの方法ではまず、ビデオカメラなどの機材が必要になる。また、設置などの準備を行う必要があるなどの面倒がある。また、記録した会議の映像を後で参照するとき、会議の特定の場面から再生したい場合、撮られた映像の中から、再生、早送りなどを行いながら場面を探し出すことになり、そのために時間がかかったり、なかなか見つからなかったりするなどの問題がある。
【０００５】
記録した映像や音声を、後で参照しやすくするための方法も考えられている。例えば、特許文献１においては、映像、音声の記録と同時に、ユーザーからの、文字や図形などの入力情報を対応付けて記録し、再生時にはユーザーからの入力情報を参照して、指定された時点の映像、音声を再生するという方法で、再生個所の検索を容易にする工夫が行われている。
【０００６】
また、記録データ量を少なくするための方法も考えられている。例えば、特許文献２においては、会議において音声の録音と共に、参加者が決められたキーワードを発声したときのみ画面情報を記録するという方法で、記録する画像情報量を少なくしている。
【特許文献１】特開平６−３４３１４６号公報
【特許文献２】特開平１０−４００６８号公報
【発明の開示】
【発明が解決しようとする課題】
【０００７】
特許文献１の様に映像、音声と、ユーザーからの入力情報を対応付け記録し、後で入力情報の指定により再生を行うという方法は、映像を撮るための機材が必要でコストが掛かり、設置作業なども必要である。
【０００８】
また、特許文献２の様にキーワードの発声時に画像情報を記録する方法では、キーワード発声時以外の画像の記録が行われないという制限があるため、キーワードの発声時以外に画像が変化したような場合に、その変化を記録できないという問題がある。
【０００９】
一方で、近年では、会議資料などの電子化が進んでおり、会議資料の提示や作成、編集などをコンピュータ上で行うことができるようになってきている。本発明は、コンピュータ上で資料を扱う会議などにおいて、低コストで実現でき、再生時には所望の箇所を容易に指定することができる記録、再生方法及び装置を提供することを目的とする。
【課題を解決するための手段】
【００１０】
上記課題を解決するために、本発明の記録、再生方法は、
表示状態の記録を開始する第１ステップと、
上記第１ステップの実行時の表示状態を記憶する第２ステップと、
記録時間情報を生成する第３ステップと、
表示状態の変化を検出する第４ステップと、
上記第４ステップにおいて検出された表示状態の変化を上記記録時間情報に対応付けて記録を行う第５ステップと、
表示状態の再生を開始する第６ステップと、
上記第２ステップにおいて記憶された表示状態を再現する第７ステップと、
再生時間情報を生成する第８ステップと、
上記第８ステップが生成する再生時間情報と、上記第５ステップにより記録された記録時間情報が一致した時に、上記第５ステップにより記録された記録時間情報に対応する表示状態の変化の再現を行う第９ステップとを具備することを特徴とする。
【００１１】
また、本発明の記録、再生装置は、
表示状態の記録を開始する記録開始手段と、
上記記録開始手段の実行時の表示状態を記憶する初期状態記録手段と、
記録時間情報を生成する第１の計時手段と、
表示状態の変化を検出する検出手段と、
上記検出手段において検出された表示状態の変化を、上記記録時間情報に対応付けて記録を行う記録手段と、
表示状態の再生を開始する再生開始手段と、
上記初期状態記録手段において記憶された表示状態を再現する初期状態再現手段と、
再生時間情報を生成する第２の計時手段と、
上記第２の計時手段が生成する再生時間情報と、上記記録手段により記録された記録時間情報が一致した時に、上記記録手段により記録された記録時間情報に対応する表示状態の変化の再現を行う再現手段とを具備することを特徴とする。
【発明の効果】
【００１２】
以上説明したように、本発明によれば、会議やプレゼンテーションなどの記録を取るときに、画像全体を記録せずに画面表示を変化させる処理内容のみを記録することで、記録データ量を非常に少なくすることができる。
【００１３】
記録内容は、文字情報などとして見ることができ、一覧性に優れている。
【００１４】
記録内容の再生を行うときには、記録内容の一覧などから、行った操作あるいは時間を指定して画面を再現することができるので、再生箇所の検索が容易である。
【００１５】
本発明では、記録、再生動作をコンピュータに内蔵するソフトウェアあるいはハードウェアという形で実現し、直接の映像を記録しないため、映像記録のためのビデオカメラなどの機材が不要であるから、コストを低く抑えることができる。
【発明を実施するための最良の形態】
【００１６】
以下、図面を参照して本発明の実施の形態について説明する。
【００１７】
(第１の実施の形態)
図１は、本発明による第１の実施の形態による記録／再生プログラムを実行するコンピュータからの出力画像を表示するＣＲＴの表示画面の状態を示す。ここでは表示機器としてＣＲＴとしたが、ＣＲＴに限らず、液晶ディスプレイ、プロジェクションディスプレイ、プラズマディスプレイなどでもよい。
【００１８】
コンピュータには、ワードプロセサアプリケーション、表計算アプリケーション、プレゼンテーション資料作成／表示アプリケーション、ファイル管理アプリケーション、計算機アプリケーションなどといった様々なアプリケーションソフトウェアが内蔵されている。ユーザーによる各アプリケーションの起動、終了、位置移動、サイズ変更などのコンピュータの操作は、コンピュータに接続されたマウスやキーボードなどの入力機器により行われる。
【００１９】
１０１は、表示画面の全体である。プレゼンテーション用のアプリケーションが起動されており、予め作成されていた、ファイル名が“結果報告”というファイルが、ウィンドウ１０４として表示されている。
【００２０】
１０２は、記録／再生プログラムの中の再生プログラムの開始を指示するための再生開始ボタンである。また、１０３は、記録、再生プログラムの中の記録プログラムの開始を指示するための記録開始ボタンである。
【００２１】
まず、記録／再生プログラムの中に記録情報が何もないときに、マウスにより再生開始ボタン１０２を押下するなどして再生指示が入力された場合には、再生が出来ないことを通知するウィンドウを画面上に表示するなどして、ユーザーに知らせる。または、記録情報が何も無いときには再生開始ボタン１０２を表示しないようにしたり、薄い色でボタン表示を行うなど、表示状態を変えるようにしてもよい。
【００２２】
図１の状態で、マウスにより記録開始ボタン１０３が押下されたとする。このときに実行される記録プログラムのフローチャートを図２に示す。なお、本実施の形態においては、再生プログラム、記録プログラムはマウスによるボタン押下により開始されるが、キーボード、入力パッド、リモコンなどの入力機器からのコマンド入力によってプログラム開始を指示できるようにしてもよい。
【００２３】
開始された記録プログラムは、まずＳ２０２において、それまで画面中に表示されていた再生開始ボタン１０２及び記録開始ボタン１０３を消去する。そして、Ｓ２０３で、記録を終了するためのボタンの表示を行う。図４は、記録動作中の画面状態を表した図であり、４０２が、記録終了ボタンとして表示されている。
【００２４】
次にＳ２０４において、記録プログラム開始時の画面の各アプリケーションのウィンドウ位置、ウィンドウサイズ、表示内容などの表示状態をコンピュータ内部のハードディスクなどの記憶装置に記憶する。図１の状態では、プレゼンテーションアプリケーションがウィンドウ１０４として表示されており、表示ファイル名は“結果報告”であることや、ウィンドウの位置／サイズの情報を記憶する。
【００２５】
次に、Ｓ２０５において、記録開始の時間を記録する。記録はファイルとしてコンピュータ内部に生成される。ファイルの一例を図３に示す。まず１行目には、“履歴１”という情報が記録される。複数の記録を行うと、“履歴２”、“履歴３”といったようにそれぞれ別のファイルとして保存され、後で区別できるようになっている。２行目に“２０００年１２月２５日”、３行目に“０９：５１：０８  ｓｔａｒｔ”というふうに記録開始時間が記録される。本実施の形態においては、時間情報はコンピュータが内部に持っている時計の情報を利用している。コンピュータが時計の機能を持たないなどの場合には、コンピュータ内部のタイマを利用し、記録開始からの相対的な時間の記録を行うようにしてもよい。
【００２６】
次にＳ２０６で、画面の表示状態が変化したかどうかを判断する。本実施の形態においては、画面上のウィンドウの表示、ウィンドウの消去、編集などによるウィンドウ表示内容の変化、ウィンドウ位置変更、ウィンドウサイズ変更を画面表示状態の変化として検出するようになっているが、それらに限らず、例えば、マウスの移動や、カーソルの点滅などによる表示の変化を検出するようにしてもよい。
【００２７】
画面表示状態に変化があったときには、Ｓ２０７において、画面変化情報とそのときの時間情報を記録する。図３の４行目では、９時５２分１３秒に、“結果報告”のウィンドウの７行１列の欄に、“６”という入力がされたという、ウィンドウ内の編集操作が行われたことが記録されている。
【００２８】
以降、表示内容の編集、表示ページの切り換え、ウィンドウの位置／サイズ変化、ウィンドウの生成／消滅などが行われると、図３に示すように時間情報と共に記録されていく。なお、図３の中で、（５９７，２７４）−（８７６，５６４）などの表示は、ウィンドウを生成したり、位置／サイズの変更を行った場合のウィンドウの左上の座標、右下の座標を表している。
【００２９】
Ｓ２０６において、画面表示状態に変化が無かった時は、Ｓ２０８で、ユーザーにより終了コマンドが入力されたかどうかの判断を行う。終了コマンドが入力されていない場合は、処理がＳ２０６へ戻される。記録終了ボタン４０２がマウスにより押下されるなどして、Ｓ２０８において記録終了コマンドが入力されたと判断した場合には、Ｓ２０９で、図３の最終行にあるように、記録終了時間と、“ｅｎｄ”という、記録終了を示すメッセージを記録し、Ｓ２１０で、それまで画面中に表示されていた記録終了ボタン４０２を消去する。そして、Ｓ２１１で、再生開始ボタン１０２及び記録開始ボタン１０３の表示を行う。そしてＳ２１２でプログラムを終了する。
【００３０】
以上のような記録動作が行われた後に、記録情報を再生する場合について述べる。再生開始ボタン１０２を押下するなどして記録情報の再生が指示されたときに実行される記録プログラムのフローチャートを図５に示す。また、再生が開始された直後の画面の状態を図６に示す。
【００３１】
Ｓ５０１から開始されたプログラムは、まずＳ５０２において、再生開始ボタン、記録開始ボタンを消去し、Ｓ５０３で、再生終了ボタン６０２、時間表示ウィンドウ６０３、ログウィンドウ６０４を表示する。ここで、時間表示ウィンドウ６０３には、記録開始時の時間である、９時５１分０８秒を表示する。またログウィンドウ６０４には、記録情報の一覧が表示されている。ログウィンドウ６０４は、ウィンドウの表示／非表示、ウィンドウ位置／サイズをユーザーにより変更できるようになっており、表示が邪魔な場合は非表示とすることなどが可能である。
【００３２】
次にＳ５０４において、記録プログラム開始時に記憶された、画面の各アプリケーションのウィンドウ位置、ウィンドウサイズ、表示内容などの表示状態を記憶装置から読み出し、画面上に再現する。
【００３３】
次にＳ５０５で、再生する時間の計測を開始し、時間表示ウィンドウ６０３の時間を進めてゆく。
【００３４】
Ｓ５０６において、再生時間に一致する画面変化の記録情報が存在するときには、Ｓ５０７で該当する画面変化を再現する。図６においては、９時５１分０８秒からの再生が開始され、９時５２分１３秒になると、“結果報告”ウィンドウの７行１列の欄に、“６”が入力される。
【００３５】
Ｓ５０６で、再生時間に対応する記録情報が存在しない場合は、Ｓ５０８で、再生時間の指定が行われたかどうかを判断する。再生時間の指定は、マウスのクリックにより時間表示ウィンドウ６０３を選択したのち、キーボードなどから数字を入力することにより行われる。再生時間の指定が行われた場合には、再生時間及び画面状態を指定された時点に変更する。このとき、指定された時点が現在表示されている時間以降であるなら、指定された時点までの履歴を一気に実行することにより、画面状態を指定された時間まで進める。また、指定された時点が現在表示されている時間以前である場合には、一旦、初期画面の再現を実行し、記録開始時点から指定された時点までの履歴を一気に実行することにより、画面状態を指定された時点まで進めることができる。
【００３６】
Ｓ５０８で、経過時間の指定がされていない場合は、Ｓ５１０で、画面変化履歴の指定が行われたかを判断する。画面変化履歴の指定は、ログウィンドウ６０４に表示されている履歴を、マウスでクリックすることなどにより行われる。画面変化履歴の指定が行われた場合には、再生時間及び画面状態を指定された履歴に対応する時点に変更する。このとき、指定された時点が現在表示されている時間以降であるなら、指定された時点までの履歴を一気に実行することにより、画面状態を指定された時点まで進める。また、指定された時点が現在表示されている時間以前である場合には、一旦、初期画面の再現を実行し、記録開始時点から指定された時点までの履歴を一気に実行することにより、画面状態を指定された時点まで進めることができる。
【００３７】
Ｓ５１０で、画面変化履歴の指定が行われていない場合は、Ｓ５１２で、終了コマンドが入力されたかどうかを判断する。終了コマンドは、マウスにより再生終了ボタン６０２を押下することにより行われる。
【００３８】
終了コマンドが入力された場合、Ｓ５１３において、再生終了ボタン６０２、時間表示ウィンドウ６０３、ログウィンドウ６０４を消去し、Ｓ５１４で、再生開始ボタン、記録開始ボタンを表示し、Ｓ５１５でプログラムを終了する。
【００３９】
本実施の形態においては、画面の表示情報のみを記録するようになっているが、近年では、コンピュータに接続したマイクにより集音した音声データをコンピュータ内部の記憶装置に記録し、記録した音声データを任意の記録位置から再生することなどが可能となっている。従って、画面表示情報と同時にユーザーの音声情報を合わせてコンピュータ内部の記憶装置に記録し、再生時には画面の再生に合わせて記録された音声の再生を行うといった応用も、本発明から容易に可能である。
【００４０】
(第２の実施の形態)
第１の実施の形態では、ソフトウェアによる処理の方式について説明したが、ハードウェア的に実現する場合について、構成、動作を以下に述べる。
【００４１】
図７は、本発明による第２の実施の形態による記録／再生装置の構成の一部を示す。中央処理部７０２は、ワードプロセサアプリケーション、表計算アプリケーション、プレゼンテーション資料作成／表示アプリケーション、ファイル管理アプリケーション、計算機アプリケーションなどといった様々なアプリケーションを内蔵しており、これらの実行などの処理、入力部７０１からの入力処理、表示部７０３に対する出力画像生成を行うなど、システム全体の制御を行っている。表示部７０３は、例えばＣＲＴディスプレイ、液晶ディスプレイ、プラズマディスプレイなどであり、ユーザーに対して画像を表示するものである。
【００４２】
ユーザーによる各アプリケーションの起動、終了、位置移動、サイズ変更などの操作は入力部７０１から行われる。入力部７０１は、例えばマウスやキーボードなどから構成される。
【００４３】
表示画面は第１の実施の形態と同様であり、例えば図１のようになる。１０２は、再生動作の開始を指示するための再生開始ボタンである。また、１０３は、記録動作の開始を指示するための記録開始ボタンである。
【００４４】
記録情報は記録部７０７に蓄積されるが、まず記録部７０７の中に記録情報が何もないときには、マウスにより再生開始ボタン１０２を押下するなどして再生指示が入力された場合には、再生が出来ないことを通知するウィンドウを画面上に表示するなどして、ユーザーに知らせる。
【００４５】
図１の状態で、マウスにより記録開始ボタン１０３が押下されたとする。
【００４６】
中央処理部７０２は、まずそれまで画面中に表示されていた再生開始ボタン１０２及び記録開始ボタン１０３を消去する。そして、図４のボタン４０２のような、記録を終了するためのボタンの表示を行う。
【００４７】
次に、初期状態記録部７０４は、記録動作開始時の画面の各アプリケーションのウィンドウ位置、ウィンドウサイズ、表示内容などの表示状態の情報を中央処理部７０２から受け取り、記録部７０７に送信し、記録部７０７はその情報を記憶する。
【００４８】
次に中央処理部７０２は、計時部７０８に対し、時間計測用のタイマの値を０にリセットし、カウントを開始するよう指示を与える。指示された計時部７０８は、タイマをリセットし、時間計測を始める。
【００４９】
中央処理部７０２は、演算処理、ウィンドウ操作、マウス移動／クリック、キー入力などの、発生したさまざまな処理の内容を、変化抽出部７０６に対し送信する。変化抽出部７０６では、受け取ったさまざまな処理の中から、表示状態の変化のみを抽出する。ここで表示状態の変化とは具体的には、ウィンドウの表示／消去、ウィンドウ内の表示内容の変化、ウィンドウ位置／サイズ変更を指す。
【００５０】
処理が抽出されたときには、その処理内容を記録部７０７に送信する。記録部７０７では、処理内容を受け取ると、そのときのタイマ値を計時部７０８から受け取り、これらの情報を対応付けて記録する。タイマは記録動作の開始時に０にリセットされているから、記録されるタイマ値は記録動作の開始からの経過時間を表す。
【００５１】
以降、ウィンドウの表示、消去、表示内容の変化、位置変更、サイズ変更が行われると、時間情報と共に記録部７０７内に記録されていく。
【００５２】
ユーザーにより記録終了ボタン４０２を押下されると、記録動作を終了し、中央処理部７０２は記録終了ボタン４０２を消去し、再生開始ボタン１０２及び記録開始ボタン１０３の表示を行う。
【００５３】
以上のような記録動作が行われた後に、記録情報を再生する場合について述べる。再生開始ボタンが押下されるとするなどして記録情報の再生が指示されると、中央処理部７０２は、まず、再生開始ボタン、記録開始ボタンを消去し、図８のように、再生終了ボタン８０２、タイマ表示ウィンドウ８０３、ログウィンドウ８０４を表示する。ここで、タイマ表示ウィンドウ８０３には、０時間０分０秒を表す“００：００：００”と表示する。またログウィンドウ８０４には、記録部７０７から読み出された記録情報の一覧が表示されている。
【００５４】
次に、初期状態再現部７０５は、記録部７０７から記録動作の開始時に記憶された、画面表示状態を読み出し、中央処理部７０２へ送信する。中央処理部７０２は、受け取った情報から、記録されていた画面表示状態を画面上に再現する。
【００５５】
次に中央処理部７０２は、計時部７０８に対し、タイマの値を０にリセットし、カウントを開始するよう指示を与える。指示された計時部７０８は、タイマをリセットしたのち、カウントを始める。タイマの値は、中央処理部７０２に送信され、中央処理部７０２は、タイマ表示ウィンドウ８０３にタイマの値を表示する。
【００５６】
タイマ値は、記録部７０７にも送信され、タイマ値に一致する記録情報が存在するときには、その記録情報を中央処理部７０２に対して送信する。中央処理部７０２は、受け取った情報を元に処理を実行し、記録されていた画面表示の変化を表示部７０３上に再現する。図８においては、例えば、再生開始から１分３８秒後に、“結果報告”ウィンドウの７行１列の欄に、“６”が入力される。
【００５７】
ユーザーにより、マウスのクリックによりタイマ表示ウィンドウ８０３を選択したのちキーボードから数字を入力するなどして時間の指定が行われた場合や、ログウィンドウ８０４に表示されている履歴をマウスでクリックすることなどにより画面変化履歴の指定が行われた場合には、中央処理部７０２は、画面状態を指定された時点に変更する。このとき、指定された時点が現在表示されている時間以降であるなら、指定された時点までの履歴を記録部７０７から読み出し一気に実行することにより、画面状態を指定された時間まで進める。また、指定された時点が現在表示されている時間以前である場合には、一旦、初期画面の再現を実行し、記録開始時点から指定された時点までの履歴を一気に実行することにより、画面状態を指定された時点まで進めることができる。次に中央処理部７０２は、計時部７０８に対し、タイマ値を指定された値に変更するよう指示を行う。
【００５８】
マウスにより再生終了ボタン８０２を押下することにより終了コマンドが入力された場合、中央処理部７０２は、再生終了ボタン８０２、タイマ表示ウィンドウ８０３、ログウィンドウ８０４を消去し、再生開始ボタン、記録開始ボタンを表示し、再生動作を終了する。
【図面の簡単な説明】
【００５９】
【図１】本発明の第１の実施の形態の表示画面の状態を表す図である。
【図２】本発明の第１の実施の形態の記録処理の手順を示すフローチャートである。
【図３】本発明の第１の実施の形態の記録情報を表す図である。
【図４】本発明の第１の実施の形態の記録処理中の表示画面の状態を表す図である。
【図５】本発明の第１の実施の形態の再生処理の手順を示すフローチャートである。
【図６】本発明の第１の実施の形態の再生処理中の表示画面の状態を表す図である。
【図７】本発明の第２の実施の形態を、その一部の構成のみ示すブロック図である。
【図８】本発明の第２の実施の形態の再生処理中の表示画面の状態を表す図である。
【符号の説明】
【００６０】
１０１  表示画面
１０２  再生開始ボタン
１０３  記録開始ボタン
１０４  アプリケーションウィンドウ
４０１  表示画面
４０２  記録終了ボタン
４０３  アプリケーションウィンドウ
４０４  アプリケーションウィンドウ
６０１  表示画面
６０２  再生終了ボタン
６０３  時間表示ウィンドウ
６０４  ログウィンドウ
６０５  アプリケーションウィンドウ
７０１  入力部
７０２  中央処理部
７０３  表示部
７０４  初期状態記録部
７０５  初期状態再現部
７０６  変化抽出部
７０７  記録部
７０８  計時部
８０１  表示画面
８０２  再生終了ボタン
８０３  時間表示ウィンドウ
８０４  ログウィンドウ
８０５  アプリケーションウィンドウ
【図１】
2005141284.tif 000003
【図２】
2005141284.tif 000004
【図３】
2005141284.tif 000005
【図４】
2005141284.tif 000006
【図５】
2005141284.tif 000007
【図６】
2005141284.tif 000008
【図７】
2005141284.tif 000009
【図８】
2005141284.tif 000010